(57)【要約】【課題】傾斜位置によって装置本体の内部の冷却度合いが変化するのを抑制することが可能なプロジェクタを提供する。【解決手段】プロジェクタ１は、光源ランプ用の冷却ファン２５と、下方に排気するように形成された排気口２ｂとを備えたプロジェクタ１であり、水平方向に対する投影角度が最大投影角度近傍である場合に対応する第１位置と、第１位置以外の第２位置とに昇降位置を調節可能であるとともに、押圧部３３ｃを有する昇降部材３３を含む昇降機構と、昇降位置が第１位置に調節されたことと、第１位置以外の第２位置に調節されたこととを検出可能であるとともに、昇降部材３３が第１位置に調節される際に、押圧部により押圧される回動レバー３４ｂを有する検出スイッチ３４と、検出スイッチ３４によって検出された昇降部材３３の第１位置および第２位置に基づいて光源ランプ用の冷却ファン２５を制御する制御部４１とを備えている。【選択図】図４
2007041220.tif 000002
【特許請求の範囲】
【請求項１】
光源ランプ用冷却ファンを含み装置本体の内部を冷却するための冷却手段と、空気を下方に傾斜した方向に排気するように形成された排気口とを備えたプロジェクタにおいて、
前記装置本体の前部の中央部に設置され、水平方向に対する投影角度が最大投影角度近傍である場合に対応する第１位置と、前記第１位置以外の第２位置とに昇降位置を調節可能であるとともに、押圧部を含む昇降部材を有する昇降機構と、
前記昇降部材の昇降位置が最大投影角度近傍に対応する第１位置に調節されたことと、前記第１位置以外の第２位置に調節されたこととを検出可能であるとともに、前記昇降部材が前記第１位置に調節される際に、前記昇降部材の押圧部により押圧される回動レバーを有する検出スイッチを含む検出手段と、
前記装置本体の内部の温度を検出するための温度センサと、
前記検出スイッチによって検出された前記昇降部材の第１位置および第２位置と、前記温度センサによる検出温度との両方に基づいて前記冷却手段の前記光源ランプ用冷却ファンを制御する制御手段とを備え、
前記制御手段は、前記昇降部材が前記第１位置である場合の前記光源ランプ用冷却ファンの回転数よりも前記昇降部材が前記第２位置である場合の前記光源ランプ用冷却ファンの回転数が高くなるように、前記光源ランプ用冷却ファンの回転数を制御する、プロジェクタ。
【請求項２】
装置本体の内部を冷却するための冷却手段と、
空気を排気するための排気口と、
前記装置本体の傾きに応じて前記冷却手段を制御する制御手段とを備えた、プロジェクタ。
【請求項３】
水平方向に対する投影角度を調節するための昇降機構と、
前記昇降機構の所定の昇降位置を検出するための検出手段とを備え、
前記検出手段の検出結果に基づいて、前記制御手段は前記冷却手段を制御する、請求項２に記載のプロジェクタ。
【請求項４】
前記装置本体の内部の温度を検出するための温度センサをさらに備え、
前記昇降機構の昇降位置および前記温度センサによる検出温度の両方に基づいて前記制御手段が前記冷却手段を制御する、請求項２または３に記載のプロジェクタ。
【請求項５】
前記冷却手段は、冷却ファンを含み、
前記排気口は、水平方向より下方に傾斜した方向に空気が排気されるように形成されており、
前記昇降機構は、前記装置本体を少なくとも第１姿勢と前記第１姿勢よりも水平方向に対する投影角度が上方に向けられた第２姿勢とに調節可能に構成されており、
前記制御手段は、前記第２姿勢での前記冷却ファンの回転数よりも前記第１姿勢での前記冷却ファンの回転数が高くなるように前記冷却ファンを制御する、請求項３に記載のプロジェクタ。
【請求項６】
前記冷却手段は、光源ランプ用冷却ファンを含み、
前記排気口は、水平方向より下方に傾斜した方向に空気が排気されるように形成されており、
前記昇降機構は、前記装置本体の前部の中央近傍に設置される昇降部材を含み、
前記検出手段は、前記昇降部材の昇降位置が最大投影角度近傍に対応する第１位置に調節されたことと、前記第１位置以外の第２位置に調節されたこととを検出可能な検出スイッチを含み、
前記制御手段は、前記検出スイッチの検出結果に基づいて、前記昇降部材が前記第１位置である場合の前記光源ランプ用冷却ファンの回転数よりも前記昇降部材が前記第２位置である場合の光源ランプ用冷却ファンの回転数が高くなるように、前記光源ランプ用冷却ファンの回転数を制御する、請求項３に記載のプロジェクタ。
【請求項７】
前記検出スイッチは、回動レバーを有し、
前記昇降部材は、前記昇降部材が前記第１位置に調節される際に、前記検出スイッチの回動レバーを押圧する押圧部を含む、請求項６に記載のプロジェクタ。
【発明の詳細な説明】
【技術分野】
【０００１】
この発明は、プロジェクタに関し、特に、冷却手段を有するプロジェクタに関する。
【背景技術】
【０００２】
従来、プロジェクタの内部を冷却するための冷却ファンなどの冷却手段を備えたプロジェクタが知られている（たとえば、特許文献１および２参照）。
【０００３】
上記特許文献１に開示されたプロジェクタは、光源ランプを冷却するための冷却ファンを備えている。このプロジェクタでは、光源ランプの点灯直後は光源ランプを冷却しないように構成されている。また、このプロジェクタは、光源ランプが所定の温度に到達して、光源ランプの出力が安定した後に冷却ファンによって光源ランプを冷却するように構成されている。
【０００４】
また、上記特許文献２に開示されたプロジェクタは、電源スイッチと連動して停止される冷却ファンを備えている。具体的には、ユーザによって電源スイッチがＯＦＦに切り換えられると、プロジェクタの前方に突出していたレンズ群がプロジェクタ内に収容される。その後、液晶パネルに必要な所定の時間だけ冷却ファンの駆動が継続された後、制御回路によって冷却ファンが自動的に停止される。また、この特許文献２には、レンズ群が収容された後、温度センサによって所定の冷却温度が検知されるまで冷却ファンの駆動が継続されるプロジェクタも開示されている。
【０００５】
また、従来、水平方向に対する投影角度を調節するためにプロジェクタの傾きを調節するとともに、その調節された傾斜位置にプロジェクタを固定可能な昇降機構を備えたプロジェクタも知られている。この従来の昇降機構を備えたプロジェクタでは、プロジェクタを水平位置から所定の角度傾けて使用する場合が多いことを考慮して、プロジェクタを水平位置から所定の角度傾けた位置で排気口が水平方向になるように、排気方向は下方に傾斜した方向に設置されている。これにより、プロジェクタを水平位置から所定の角度傾けて設置した場合に、空気が円滑に排気されるので、空気の排気効率を向上させることが可能になる。
【特許文献１】特開２００３−２１５７０４号公報
【特許文献２】特開２００１−２４２５４２号公報
【発明の開示】
【発明が解決しようとする課題】
【０００６】
しかしながら、上記した排気口が下方に傾斜した方向に向けられた従来のプロジェクタでは、プロジェクタを水平に設置すると、プロジェクタの内部で暖められて上昇する空気の流れる方向と、下方に傾斜した方向に向けられた排気口の排気方向との間の角度差が大きくなる。このため、冷却ファンによる空気の排気効率が低下するという不都合がある。一方、排気口が水平になるように、プロジェクタが所定の角度に傾けられると、プロジェクタの内部で暖められて上昇する空気の流れる方向と下方に向けられた排気口の排気方向との間の角度差が小さくなる。このため、冷却ファンによる空気の排気効率が大きくなる。このように従来の昇降機構を有し、かつ、排気口が下方に傾斜した方向に向けられたプロジェクタでは、プロジェクタの傾斜位置によって冷却ファンによる空気の排気効率が変化するという不都合があった。このため、冷却ファンを一定の回転数で回転させたとしても、プロジェクタの傾斜位置によって光源ランプの冷却度合いが変化するので、光源ランプの寿命が短くなる場合があるなどの問題点があった。
【０００７】
また、特許文献１に記載のプロジェクタでは、光源ランプの温度によって冷却ファンを制御するので、排気効率の変化に応じて、冷却ファンを制御することができないという問題点がある。また、特許文献２に記載のプロジェクタでは、電源スイッチがＯＦＦに設定された後、所定の時間だけ冷却ファンを駆動するように制御するので、排気効率の変化に応じて、冷却ファンを制御することができないという問題点がある。これらの結果、特許文献１および２を、昇降機構を有し、かつ、排気口が下方に傾斜した方向に向けられたプロジェクタに適用したとしても、プロジェクタの傾斜位置によって光源ランプの冷却度合いが変化するので、光源ランプの寿命が短くなるという問題点が生じる。
【０００８】
この発明は、上記のような課題を解決するためになされたものであり、傾斜位置によって装置本体の内部の冷却度合いが変化するのを抑制することが可能なプロジェクタを提供することである。
【課題を解決するための手段】
【０００９】
この発明の第１の局面によるプロジェクタは、光源ランプ用冷却ファンを含み装置本体の内部を冷却するための冷却手段と、空気を下方に傾斜した方向に排気するように形成された排気口とを備えたプロジェクタにおいて、装置本体の前部の中央部に設置され、水平方向に対する投影角度が最大投影角度近傍である場合に対応する第１位置と、第１位置以外の第２位置とに昇降位置を調節可能であるとともに、押圧部を含む昇降部材を有する昇降機構と、昇降部材の昇降位置が最大投影角度近傍に対応する第１位置に調節されたことと、第１位置以外の第２位置に調節されたこととを検出可能であるとともに、昇降部材が第１位置に調節される際に、昇降部材の押圧部により押圧される回動レバーを有する検出スイッチを含む検出手段と、装置本体の内部の温度を検出するための温度センサと、検出スイッチによって検出された昇降部材の第１位置および第２位置と、温度センサによる検出温度との両方に基づいて冷却手段の光源ランプ用冷却ファンを制御する制御手段とを備え、制御手段は、昇降部材が第１位置である場合の光源ランプ用冷却ファンの回転数よりも昇降部材が第２位置である場合の光源ランプ用冷却ファンの回転数が高くなるように、光源ランプ用冷却ファンの回転数を制御する。
【００１０】
この第１の局面によるプロジェクタでは、装置本体の傾きに応じて冷却手段を制御する制御手段を設けることによって、装置本体が傾けられると、その装置本体の傾きに応じて制御手段により冷却手段の光源ランプ用冷却ファンの回転数を制御することができる。これにより、装置本体の傾きが調節されることによる排気効率の変化に応じて冷却手段を制御することができるので、冷却ファンにより送られて排気口によって排気される空気の排気効率に対応させて冷却ファンを制御することができる。したがって、装置本体を、最大投影角度近傍以外の水平姿勢または水平姿勢に近い状態に設定した場合には、装置本体の内部で暖められて上昇する空気の流れる方向と、空気を下方に傾斜した方向に排気するように形成された排気口の排気方向との間の角度差が大きくなるので、排気効率が低くなる。このように排気効率が低い状態に装置本体を調節した場合には、光源ランプ用冷却ファンの回転数を高くするように制御手段によって制御する。また、装置本体を、最大投影角度近傍に調節した場合には、内部で暖められて上昇する空気の流れる方向と、空気を下方に傾斜した方向に排気するように形成された排気口の排気方向との間の角度差が小さくなるので、排気効率が高くなる。このように排気効率が高い状態に装置本体を調節した場合には、光源ランプ用冷却ファンの回転数を低くするように制御手段によって制御する。これらによって、光源ランプの冷却度合いが変化するのを抑制することができる。この結果、光源ランプの寿命が短くなるのを抑制することができる。また、水平方向に対する投影角度が最大になるように装置本体を調節した場合、装置本体の内部で暖められて上昇する空気の流れる方向と、空気を下方に傾斜した方向に排気するように形成された排気口との間の角度差が小さくなるので、排気効率が高くなる。このように、排気効率の高い状態に
装置本体を傾けた場合には、冷却ファンの回転数を下げることによって、冷却ファンによる消費電力を下げることができる。
【００１１】
また、第１の局面によるプロジェクタは、押圧部を有する昇降機構と、昇降部材の昇降位置が最大投影角度近傍に対応する第１位置に調節されたことと、第１位置以外の第２位置に調節されたこととを検出可能であるとともに、昇降部材が第１位置に調節される際に、昇降部材の押圧部により押圧される回動レバーを有する検出スイッチとを設けることによって、昇降部材によって、水平方向に対する投影角度を設定できるとともに、その昇降部材の第１位置および第２位置を検出スイッチによって検出することができる。これにより、制御手段は検出スイッチによって検出された昇降部材の昇降位置に基づいて、容易に光源ランプ用冷却ファンの回転数を制御することができる。また、温度センサを設けることによって、制御手段は昇降部材の昇降位置および温度センサによる検出温度の両方に基づいて冷却ファンを制御することができるので、制御手段は温度検出手段により検出された装置本体の内部の温度がほぼ一定になるように光源ランプ用冷却ファンを制御することができるとともに、装置本体の傾き位置に応じて冷却ファンを制御することができる。この結果、冷却能率を維持しつつ、冷却ファンの消費電力を抑制することができる。
【００１２】
この発明の第２の局面によるプロジェクタは、装置本体の内部を冷却するための冷却手段と、空気を排気するための排気口と、装置本体の傾きに応じて冷却手段を制御する制御手段とを備えている。
【００１３】
この第２の局面によるプロジェクタでは、上記のように、装置本体の傾きに応じて冷却手段を制御する制御手段を設けることによって、装置本体が傾けられると、その装置本体の傾きに応じて制御手段により冷却手段を制御することができる。これにより、装置本体の傾きが調節されることによる排気効率の変化に応じて冷却手段を制御することができるので、冷却手段により送られて排気口によって排気される空気の排気効率に対応させて冷却手段を制御することができる。したがって、排気効率の低い傾き位置に装置本体を調節した場合には、冷却手段の冷却能力を高くするように制御手段により制御するとともに、排気効率の高い傾き位置に装置本体を調節した場合には、冷却手段の冷却能力を低くするように制御手段により制御するようにすれば、装置本体の傾き位置によって装置本体の内部の光源ランプなどの冷却度合いが変化するのを抑制することができる。これにより、光源ランプの寿命が短くなるのを抑制することができる。また、排気効率の高い傾き位置に装置本体を調節した場合には、冷却手段の冷却能力が低くなるように冷却手段を制御するようにことによって、冷却手段による消費電力を低減させることができる。
【００１４】
この発明の第２の局面によるプロジェクタは、好ましくは、水平方向に対する投影角度を調節するための昇降機構と、昇降機構の所定の昇降位置を検出するための検出手段とを備え、検出手段の検出結果に基づいて、制御手段は冷却手段を制御する。このように構成すれば、検出手段によって検出された、水平方向に対する投影角度を調節するための昇降機構の昇降位置に基づいて、制御手段により冷却手段を制御することができるので、容易に、水平方向に対する投影角度（装置本体の傾き位置）に応じて冷却手段を制御することができる。
【００１５】
この発明の第２の局面によるプロジェクタは、好ましくは、装置本体の内部の温度を検出するための温度センサをさらに備え、昇降機構の昇降位置および温度センサによる検出温度の両方に基づいて制御手段が冷却手段を制御する。このように構成すれば、制御手段により昇降機構の昇降位置および温度センサによる検出温度の両方に基づいて冷却手段を制御することができるので、制御手段は温度センサにより検出された装置本体の内部の温度がほぼ一定になるように冷却手段を制御することができるとともに、装置本体の傾き位置に応じて冷却手段を制御することができる。この結果、装置内部の冷却度合いが変化す
るのをより抑制することができる。
【００１６】
上記昇降機構と検出手段を備えたプロジェクタにおいては、好ましくは、冷却手段は、冷却ファンを含み、排気口は、水平方向より下方に傾斜した方向に空気が排気されるように形成されており、昇降機構は、装置本体を少なくとも第１姿勢と第１姿勢よりも水平方向に対する投影角度が上方に向けられた第２姿勢とに調節可能に構成されており、制御手段は、第２姿勢での冷却ファンの回転数よりも第１姿勢での冷却ファンの回転数が高くなるように冷却ファンを制御する。このように、排気口が水平方向より下方に傾斜した方向に空気が排気されるように構成されている場合、第２姿勢よりも投影角度が水平方向に近い傾き位置である第１姿勢では、装置本体の内部で暖められて上昇する空気の流れる方向と排気口の排気方向との間の角度差が大きくなるので、空気の排気効率が低くなる。このように排気効率が低い場合には、冷却ファンの回転数を上げることによって、確実に装置本体の内部を冷却することができる。一方、排気口が水平方向より下方に傾斜した方向に空気が排気されるように構成されている場合、第１姿勢よりも投影角度が上方に調節された第２姿勢では、装置本体の内部で暖められて上昇する空気の流れる方向と排気口の排気方向との間の角度差が小さくなるので、空気の排気効率が高くなる。このように排気効率が高い場合には、冷却ファンの回転数を下げることにより、冷却ファンの消費電力を抑制することができる。
【００１７】
上記昇降機構および検出手段を備えたプロジェクタにおいて、好ましくは、冷却手段は、光源ランプ用冷却ファンを含み、排気口は、水平方向より下方に傾斜した方向に空気が排気されるように形成されており、昇降機構は、装置本体の前部の中央近傍に設置される昇降部材を含み、検出手段は、昇降部材の昇降位置が最大投影角度近傍に対応する第１位置に調節されたことと、第１位置以外の第２位置に調節されたこととを検出可能な検出スイッチを含み、制御手段は、検出スイッチの検出結果に基づいて、昇降部材が第１位置である場合の光源ランプ用冷却ファンの回転数よりも昇降部材が第２位置である場合の光源ランプ用冷却ファンの回転数が高くなるように、光源ランプ用冷却ファンの回転数を制御する。このように、排気口が水平方向より下方に傾斜した方向に空気が排気されるように構成されている場合、昇降部材の昇降位置が最大投影角度近傍に対応する第１位置に調節された場合には、装置本体の内部で暖められて上昇する空気の流れる方向と下方に傾斜した排気口の排気方向との間の角度差が小さくなる。これにより、空気の排気効率が高くなるので、光源ランプ用冷却ファンの回転数を下げることによって、光源ランプ用冷却ファンの消費電力を抑制することができる。また、排気口が水平方向より下方に傾斜した方向に空気が排気されるように構成されている場合、昇降部材の昇降位置が最大投影角度近傍に対応する第１位置以外の第２位置では、装置本体の内部で暖められて上昇する空気の流れる方向と下方に傾斜した排気口の排気方向との間の角度差が大きくなる。これにより、空気の排気効率が低くなるので、光源ランプ用冷却ファンの回転数を上げることによって、冷却能率を向上させることができる。この結果、装置本体の傾き位置に関係なく、光源ランプの冷却度合いをある程度一定に維持することができるので、光源ランプの寿命を延ばすことができる。
【００１８】
上記昇降部材および検出スイッチを備えたプロジェクタにおいて、好ましくは、検出スイッチは、回動レバーを有し、昇降部材は、昇降部材が第１位置に調節される際に、検出スイッチの回動レバーを押圧する押圧部を含む。このように構成すれば、昇降部材が最大投影角度近傍に対応する第１位置に調節されると、昇降機構の押圧部によって検出スイッチの回動レバーが押圧されて、回動レバーが回動される。これにより、回動レバーを含む検出スイッチによって最大投影角度が検出されるので、昇降部材の第１位置を検出することができる。また、昇降機構の押圧部によって回動レバーが回動されていない場合には、昇降部材の第２位置を検出することができる。この結果、容易に、昇降部材の第１位置および第２位置を検出することができる。
【発明を実施するための最良の形態】
【００１９】
以下、本発明の実施形態を図面に基づいて説明する。
【００２０】
図１は、本発明の一実施形態によるプロジェクタの全体構成を示した斜視図である。図２は、本発明の一実施形態によるプロジェクタの内部を示した平面図である。図３は、本発明の一実施形態によるプロジェクタの内部の部分斜視図である。図４は、本発明の一実施形態によるプロジェクタの昇降機構の拡大斜視図である。図１〜図４を参照して、本発明の一実施形態によるプロジェクタ１の構造について説明する。
【００２１】
本実施形態によるプロジェクタ１のフレームは、図１に示すように、前部フレーム２、後部フレーム３、上部フレーム４および下部フレーム５を含んでいる。前部フレーム２の一方の端部側（矢印Ａ方向）の部分には、画像を投影するための投影レンズ１６が挿入されるレンズ挿入部２ａが、上面および投影方向が開口された状態で形成されている。また、図２に示すように、後部フレーム３のＡ方向およびＢ方向の端部には、それぞれ、支持脚３ａおよび３ｂが設けられている。支持脚３ｂは、ねじにより高さを調節可能に構成されている。また、図２に示すように、下部フレーム５の一方（矢印Ａ方向）の側面には、メインスイッチ７が設けられている。
【００２２】
また、図２に示すように、プロジェクタ１の投影機構は、光源ランプ１０と、ライトパイプ１１と、レンズ保持部材１２と、ミラー１３と、レンズ１４と、ＤＭＤ（Ｄｉｇｉｔａｌ  Ｍｉｃｒｏｍｉｒｒｏｒ  Ｄｅｖｉｃｅ）素子１５と、投影レンズ１６と、ズームリング１７とを備えている。また、プロジェクタ１の内部の後部には、プロジェクタ１の制御全般を行うコントロール基板１８が設置されている。
【００２３】
光源ランプ１０は、光源としてのガラス製のバルブ１０ａと、バルブ１０ａが発する光を反射して集光するためのリフレクタ１０ｂとを備えている。この光源ランプ１０は、箱型形状のランプケース２０の内部に装着されている。このランプケース２０の前面部分は、ＬＣＰ樹脂（液晶ポリエステル樹脂：耐熱温度約３４０℃〜約３５０℃）により形成されるとともに、前面部分を除く部分は、ＰＰＳ樹脂（ポリフェニレンサルファイド樹脂：耐熱温度約２４０℃）により形成されている。また、図３に示すように、ランプケース２０の両側面には、後述する冷却ファン２５からの冷却風が通過可能なように、複数の開口部２０ａが形成されている。
【００２４】
また、ライトパイプ１１は、図２に示すように、光源ランプ１０とレンズ保持部材１２との間で、かつ、光源ランプ１０から発せられる光の光路上に、ライトパイプクリップ２１によって固定されて配置されている。このライトパイプ１１は、入射口１１ａから入射した光源ランプ１０からの光を矩形状に成形するとともに、均一化して出射口１１ｂから出射する機能を有する。また、レンズ保持部材１２は、ライトパイプ１１を挟んで光源ランプ１０と対向するように配置されている。このレンズ保持部材１２によって、ＤＭＤ素子１５上に結像させるための複数のレンズからなるレンズ群（図示せず）が保持されている。また、ミラー１３は、図２に示すように、レンズ保持部材１２によって保持されるレンズ群を透過した光をレンズ１４へと反射する機能を有する。レンズ１４は、ミラー１３によって反射されたＤＭＤ素子１５へと集光する機能を有する。ＤＭＤ素子１５は、レンズ１４を透過した光を投影レンズ１６に供給する機能を有する。このＤＭＤ素子１５は、表面に多数の反射部を有するとともに、それらの多数の反射部を画像信号に応じて変位させ、反射光の有無によって画像を形成する。ＤＭＤ素子１５には、ＤＭＤ素子１５を制御するプリント基板２２が取り付けられている。また、プリント基板２２には、ＤＭＤ素子１５の熱を放熱するためのヒートシンク部材２３が取り付けられている。また、投影レンズ１６は、ズームリング１７によって保持されるとともに、このズームリング１７の操作
部１７ａをユーザが回転させることによって投影レンズ１６の拡大率が調整される。
【００２５】
また、本実施形態では、図２に示すように、プロジェクタ１の冷却機構は、冷却ファン２５と、冷却ファン２５よりも小さい冷却ファン２６とによって構成されている。なお、冷却ファン２５は、本発明の「光源ランプ用冷却ファン」の一例である。また、前部フレーム２には、図１および図２に示すように、プロジェクタ１の各部を冷却した空気を排気するための排気口２ｂが水平方向よりも下方に傾斜した方向に向けられた状態で形成されている。また、下部フレーム５の矢印Ａ方向の側面には、図２に示すように、冷却するための空気を吸気するための吸気口５ａが形成されている。また、後部フレーム３には、図２に示すように、冷却するための空気を吸気するための吸気口３ｃが形成されている。
【００２６】
冷却ファン２５は、図２に示すように、光源ランプ１０を冷却するために、光源ランプ１０に隣接した位置に配置されている。この冷却ファン２５は、光源ランプ１０が位置する矢印Ｃ方向にランプケース２０の開口部２０ａ（図３参照）を介して、風を送る機能を有する。そして、その光源ランプ１０に送られた風は、光源ランプ１０を冷却した後、ランプケース２０の開口部２０ａ（図３参照）を介して、水平方向よりも下方に傾斜した前部フレーム２の排気口２ｂから排気される。また、冷却ファン２６は、ライトパイプ１１などを冷却するために設けられている。この冷却ファン２６は、冷却ファン２５の矢印Ａ方向に隣接するように、かつ、ライトパイプ１１の延びる方向と平行になるように配置されている。冷却ファン２６は、ライトパイプ１１が位置する矢印Ｄ方向に風を送る機能を有する。そして、そのライトパイプ１１に送られた風は、ライトパイプ１１を冷却した後、水平方向よりも下方に傾斜した前部フレーム２の排気口２ｂから排気されるように構成されている。
【００２７】
また、本実施形態では、図１〜図４に示すように、プロジェクタ１の昇降機構は、昇降スイッチ３０と、ロック部材３１と、ガイド部材３２と、昇降部材３３とを備えている。また、装置本体が最大投影角度に設定された場合の昇降部材３３を検出するための検出スイッチ３４が設けられている。
【００２８】
昇降スイッチ３０は、図１に示すように、下部フレーム５の前部の矢印Ａ方向に設けられている。この昇降スイッチ３０は、矢印Ｂ方向に押すことが可能に構成されている。ロック部材３１は、図２および図４に示すように、矢印Ａ方向の端部が昇降スイッチ３０に連結されるとともに、矢印Ｂ方向の端部が鉤形状に形成されている。そして、その鉤形状の先端部には、昇降部材３３に係合するロック部３１ａが形成されている。また、ロック部材３１は、ロック部３１ａを昇降部材３３に係合させるために、バネなどの付勢部材（図示せず）によって、常に矢印Ａ方向に付勢されている。そして、ロック部材３１は、ユーザによって昇降スイッチ３０が矢印Ｂ方向に押されると、このロック部材３１も矢印Ｂ方向に駆動されて、ロック部３１ａと昇降部材３３との係合が解除されるように構成されている。
【００２９】
ガイド部材３２は、図４に示すように、昇降部材３３を矢印Ｈ方向（上方向）およびＬ方向（下方向）に移動可能に支持している。このガイド部材３２は、図３に示すように、下部フレーム５と一体的に設けられている。また、図３および図４に示すように、平面的に見て、ガイド部材３２の中央部には、昇降部材３３が挿入されるガイド穴３２ａが形成されている。また、ガイド部材３２の上端部の矢印Ｂ方向の側面には、切り欠き部３２ｂが形成されている。
【００３０】
昇降部材３３には、図４に示すように、ガイド部材３２のガイド穴３２ａに挿入される脚部３３ａが矢印Ｈ方向およびＬ方向に延びるように形成されている。この脚部３３ａの矢印Ｂ方向の側面部には、ロック部材３１のロック部３１ａが係合される複数の凹凸を有
する係合部３３ｂが矢印Ｈ方向およびＬ方向に延びるように形成されている。また、脚部３３ａの上端部の矢印Ｂ方向には、脚部３３ａが矢印Ｌ方向に最大限または最大限に近い程度まで移動されて、プロジェクタ１の水平方向に対する投影角度が最大値近傍になった場合に、検出スイッチ３４を作動させる押圧部３３ｃが形成されている。この昇降部材３３は、ガイド部材３２によってガイドされることにより、矢印Ｈ方向およびＬ方向に移動されるように構成されている。このように、昇降部材３３を矢印Ｈ方向およびＬ方向に移動させることにより、プロジェクタ１の前端部分の高さが調整されて水平方向に対する投影角度が調節される。
【００３１】
検出スイッチ３４は、プロジェクタ１の水平方向に対する投影角度が最大値近傍になったことと、プロジェクタ１の水平方向に対する投影角度の最大値近傍以外であることとを検出する機能を有する。検出スイッチ３４は、図４に示すように、スイッチ本体部３４ａと回動レバー３４ｂとを含んでいる。スイッチ本体部３４ａの裏面は、ネジ３６によりランプケース２０に支持された板金からなる支持部材３５にネジ（図示せず）によって固定されている。また、支持部材３５の上端部３５ａには、ランプケース２０の上面部に設置された２つのボス部２０ｂに嵌め込まれる係合孔３５ｂが設けられている。回動レバー３４ｂは、スイッチ本体部３４ａに矢印ＪおよびＫ方向に回動可能に支持されている。そして、昇降部材３３が矢印Ｌ方向に最大限または最大限に近い程度まで移動されると、昇降部材３３の押圧部３３ｃによって回動レバー３４ｂの先端部が矢印Ｌ方向に押圧されて、回動レバー３４ｂの先端部が矢印Ｋ方向に回動されて切り欠き部３２ｂに嵌り込むように構成されている。
【００３２】
図５は、プロジェクタの冷却機構の制御の構成を説明するブロック図である。図５を参照して、本実施形態によるプロジェクタ１の冷却機構の制御の構成について説明する。
【００３３】
プロジェクタ１の冷却機構の制御としては、温度センサ４０と検出スイッチ３４との両方の出力に基づいて、制御部４１が冷却ファン２５および２６を制御するように構成されている。制御部４１は、コントロール基板１８（図２参照）に設けられ、冷却機構のみならず、投影機構などのプロジェクタ１の制御全般を行う機能を有する。この制御部４１は、ＣＰＵやＲＡＭ、ＲＯＭなどにより構成されている。また、温度センサ４０は、コントロール基板１８の前端部分に設けられ（図２参照）、検出した温度に対応する電気信号を制御部４１に出力する機能を有する。制御部４１は、検出スイッチ３４からのＯＮ／ＯＦＦ信号に基づいて、検出スイッチ３４が、プロジェクタ１が最大投影角度近傍になったことを検出した状態（検出スイッチ３４のＯＮ状態）またはプロジェクタ１が最大投影角度近傍以外になったことを検出した状態（検出スイッチ３４のＯＦＦ状態）であるかを判断する機能を有する。また、冷却ファン２５および２６から電気信号が制御部４１にフィードバックされるように構成されている。
【００３４】
次に、図２を参照して、本実施形態によるプロジェクタ１の動作について説明する。まず、光源ランプ１０のバルブ１０ａからの光が光源ランプ１０のリフレクタ１０ｂによって集光される。この後、集光された光がライトパイプ１１の入射口１１ａから入射し、光が矩形状に成形された後、ライトパイプ１１の出射口１１ｂから出射される。次に、矢印Ｅ方向へ進行してレンズ群を透過した光は、ミラー１３に反射される。そして、ミラー１３に反射された光は、矢印Ｆ方向に進行し、レンズ１４を透過した後、ＤＭＤ素子１５に入射する。これにより、ＤＭＤ素子１５によって形成された画像に対応する光が矢印Ｇ方向に進行する。そして、画像に対応する光は、ユーザがズームリング１７を回転することにより拡大率が調整された投影レンズ１６によって拡大されて、スクリーンに投影される。
【００３５】
上記のようにプロジェクタ１が動作する際には、図２に示した、冷却ファン２５および
冷却ファン２６が回転されることによって、下部フレーム５の吸気口５ａおよび後部フレーム３の吸気口３ｃから空気が取り込まれる。そして、取り込まれた空気の一部は、冷却ファン２５および冷却ファン２６により、矢印Ｃ方向および矢印Ｄ方向に送られる。これにより、光源ランプ１０およびライトパイプ１１が冷却される。そして、光源ランプ１０およびライトパイプ１１を冷却した空気は、水平方向から下方に傾斜した前部フレーム２の排気口２ｂから排気される。ここで、制御部４１は、温度センサ４０から供給される検出温度に基づいて、冷却ファン２５に供給する電圧を７Ｖ〜１０．５Ｖの間で調整するとともに、冷却ファン２６に供給する電圧を４Ｖ〜６Ｖの間で調整することにより、冷却ファン２５および２６の回転数を制御する。
【００３６】
図６は、プロジェクタが水平姿勢に設定されている状態を示す側面図である。図７は、プロジェクタが最大投影角度近傍に設定されている状態を示す側面図である。図８および図９は、プロジェクタが最大投影角度近傍に設定されている状態での昇降機構を示す斜視図である。次に、プロジェクタ１の投影角度に対応した冷却機構の動作を説明する。
【００３７】
本実施形態では、まず、ユーザが水平方向に対する投影角度を調節するために、図１に示した昇降スイッチ３０を押圧すると、昇降スイッチ３０に連結されているロック部材３１（図４参照）が矢印Ｂ方向に移動される。これにより、ロック部材３１のロック部３１ａと昇降部材３３の係合部３３ｂとの係合が解除されるので、昇降部材３３は矢印Ｈ方向およびＬ方向に自由に移動できるようになる。そして、ユーザが昇降部材３３を矢印Ｈ方向またはＬ方向へ移動させた後、昇降スイッチ３０が押圧されていない状態に戻すことによって、再び、ロック部材３１のロック部３１ａと昇降部材３３の係合部３３ｂとが係合されて、昇降部材３３が固定される。そして、図６に示すように、排気口２ｂが水平方向よりも下方に傾斜した構造であるので、プロジェクタ１が水平姿勢に調節されている場合は、排気口２ｂからの空気の排気効率が低い。このようにプロジェクタ１が水平姿勢である場合には、検出スイッチ３４は、ＯＦＦ状態であるので、制御部４１によりプロジェクタ１が最大投影角度近傍の位置以外の位置であると判断される。この場合、冷却ファン２５による光源ランプ１０の冷却度合いを増加させるように、制御部４１から高い電圧（たとえば、１０．５Ｖ）が冷却ファン２５に供給される。なお、水平姿勢のみならず、最大投影角度近傍以外の姿勢に設定されている場合にも、上記した水平姿勢と同様の制御が行われる。これにより、冷却ファン２５は、高い回転数で光源ランプ１０に送風を行う。また、図７に示すように、プロジェクタ１が最大投影角度近傍に調節された場合には、昇降部材３３の押圧部３３ｃによって回動レバー３４ｂが矢印Ｋ方向に回動されて、検出スイッチ３４がＯＮ状態になる。この場合、制御部４１によりプロジェクタ１が最大投影角度近傍の位置であると判断される。この最大投影角度近傍の位置の場合には、図７に示すように、排気口２ｂは水平に近い状態になるので、排気効率が高くなる。このため、制御部４１は、冷却ファン２５に供給する電圧を低下させて、低い電圧（たとえば、７Ｖ〜１０Ｖ）を冷却ファン２５に供給する。この結果、冷却ファン２５は、回転数を低下させた状態で、光源ランプ１０に送風を行う。なお、最大投影角度は、本発明の「第２姿勢」の一例であり、それ以外の投影角度は、本発明の「第１姿勢」の一例である。
【００３８】
本実施形態では、上記のように、プロジェクタ１の傾きに応じて冷却ファン２５を制御する制御部４１を設けることによって、プロジェクタ１が傾けられると、プロジェクタ１の傾きに応じて制御部４１により冷却ファン２５を制御することができる。これにより、プロジェクタ１の傾きが調節されることによる排気効率の変化に応じて冷却ファン２５を制御することができるので、冷却ファン２５により送られて排気口２ｂによって排気される空気の排気効率に対応させて冷却ファン２５を制御することができる。
【００３９】
たとえば、プロジェクタ１を最大投影角度近傍以外の投影角度に調節した場合、プロジェクタ１の内部で暖められて上昇する空気の流れる方向と空気を下方に傾斜した方向に排
気するように形成された排気口２ｂの排気方向との間の角度差が大きくなり、排気効率が低くなる。このように排気効率の低い場合には、冷却ファン２５の回転数が高くなるように制御部４１によって制御される。また、プロジェクタ１を最大投影角度近傍の投影角度に調節した場合、プロジェクタ１の内部で暖められて上昇する空気の流れる方向と空気を下方に傾斜した方向に排気するように形成された排気口２ｂの排気方向との間の角度差が小さくなり、排気効率が高くなる。このように排気効率の高い場合には、冷却ファン２５の回転数が低くなるように制御部４１によって制御される。これらにより、光源ランプ１０の冷却度合いが変化するのを抑制することができる。この結果、光源ランプ１０の寿命が短くなるのを抑制することができる。一方、プロジェクタ１を最大投影角度近傍に調節した場合、プロジェクタ１の内部で暖められて上昇する空気の流れる方向と空気を下方に傾斜した方向に排気するように形成された排気口２ｂの排気方向との間の角度差が小さく、または、平行になるので、排気効率が高くなる。このように排気効率が高い場合には、冷却ファン２５の回転数を下げることによって、冷却ファン２５による消費電力を下げることができる。
【００４０】
また、本実施形態では、昇降部材３３を設けるとともに、プロジェクタ１が最大投影角度になるように昇降部材３３が調節された状態と、それ以外の状態とを検出することができる検出スイッチ３４を設けることによって、検出スイッチ３４によって検出された昇降部材３３の昇降位置に基づいて、制御部４１は冷却ファン２５の回転数を容易に制御することができる。また、温度センサ４０を設けることによって、制御部４１は、温度センサ４０の検出温度および検出スイッチ３４の検出位置の両方に基づいて冷却ファン２５の回転数を制御することができる。これにより、制御部４１は温度センサ４０により検出されたプロジェクタ１の内部の温度が一定になるように冷却ファン２５を制御することができるとともに、プロジェクタ１の傾き位置に応じて冷却ファン２５を制御することができる。この結果、装置内部の冷却度合いが変化するのをより抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、プロジェクタ１の最大投影角度近傍と最大投影角度近傍以外の投影角度との２種類の投影角度のみ検出可能な検出スイッチ３４を設けた例を示したが、本発明はこれに限らず、プロジェクタの３種類以上の投影角度を検出可能な検出装置を設けてもよい。そして、その３種類以上の投影角度に基づいて、冷却ファンへの供給電圧を設定しても良い。
【００４３】
また、上記実施形態では、冷却ファン２６は、温度センサ４０の検出温度によってのみ制御される例を示したが、本発明はこれに限らず、冷却ファン２６も温度センサの検出温度およびプロジェクタの投影角度の両方に基づいて制御してもよい。
【図面の簡単な説明】
【００４４】
【図１】本発明の一実施形態によるプロジェクタの全体構成を示した斜視図である。
【図２】本発明の一実施形態によるプロジェクタの内部を示した平面図である。
【図３】本発明の一実施形態によるプロジェクタの内部の部分斜視図である。
【図４】本発明の一実施形態によるプロジェクタの昇降機構の拡大斜視図である。
【図５】プロジェクタの冷却機構の制御の構成を説明するブロック図である。
【図６】プロジェクタが水平姿勢に設定されている状態を示す側面図である。
【図７】プロジェクタが最大投影角度近傍に設定されている状態を示す側面図である。
【図８】プロジェクタが最大投影角度近傍に設定されている状態での昇降機構を示す斜視図である。
【図９】プロジェクタが最大投影角度近傍に設定されている状態での昇降機構を示す斜視図である。
【符号の説明】
【００４５】
１     プロジェクタ
２ｂ   排気口
１０   光源ランプ
２５   冷却ファン
３３   昇降部材
３３ｃ  押圧部
３４   検出スイッチ
３４ｂ 回動レバー
４０   温度センサ
４１   制御部
【図１】
2007041220.tif 000003
【図２】
2007041220.tif 000004
【図３】
2007041220.tif 000005
【図４】
2007041220.tif 000006
【図５】
2007041220.tif 000007
【図６】
2007041220.tif 000008
【図７】
2007041220.tif 000009
【図８】
2007041220.tif 000010
【図９】
2007041220.tif 000011